(57)【特許請求の範囲】
【請求項１】
机本体の天板上に、少なくとも、上置き棚を着脱自在に配置して構成する上棚付き机セットにおいて、
前記上置き棚は、該上置き棚の両側板の上端縁間に架設した天板を構成する上棚板を有し、上置き棚の両側板下にキャスター取付部が構成されており、該キャスター取付部にキャスターを着脱自在に取り付けることで、脇机を構成し、
該脇机を机の側部又は背部に添わせて、机本体の天板に上置き棚の天板を構成する上棚板を継ぎ足して、同一レベルとされた広い天板を有する机として使用される構成になり、脇机を机の背部に添わせた時に、机本体の天板と上置き棚の天板を構成する上棚板とが同一レベルであって且つ同一幅の奥行きの広い天板を有する机として使用される構成になることを特徴とする上棚付き机セット。
【請求項２】
前記上置き棚は、副上置き棚とセットになっていて、前記副上置き棚は、前記机本体の天板上において前記上置き棚の両側板間の収納空間内に着脱自在に配置される構成であることを特徴とする請求項１に記載の上棚付き机セット。
【請求項３】
前記上置き棚の両側板下には、ネジ孔よりなるキャスター取付部が形成され、該キャスター取付部にキャスターが着脱自在に取り付けられる構成とされたことを特徴とする請求項１又は２に記載の上棚付き机セット。
【発明の詳細な説明】
【０００１】
【発明の属する技術分野】
本発明は、主として、学童用の学習机セットとして、或いはＳＯＨＯデスクセットとして使用に便利な上棚付き机セットに関するものである。
【０００２】
【従来の技術】
従来、この種の上棚付き机セットは、外された上棚の再利用に対しての対応が充分でなく、全部廃棄か一部廃棄、若しくは机内下部に脱着して転用するものがあった。
また、学童の成長やパソコン学習への学習形態の移行、ＳＯＨＯ事業の拡張の際には、机本体の天板上を全面的に利用するセッティングで、更に、プリンター・スキャナー等パソコンの周辺機器の設置に対応した使用態様に変える場合には、上置き棚が不要となり、逆に、脇机などが必要となり、机セットとしての多様性が欠けている。
【０００３】
【発明が解決しようとする課題】
本発明は、上記事情に基づいてなされたもので、その目的とするところは、上置き棚下の空間を全面的に使用できる形態で、前記上置き棚を机本体の天板にセッティングでき、また、要すれば、学童の成長レベルなどに合わせて、上置き棚のセッティングを変更し、上置き棚を有効に利用できる上棚付き机セットを提供するにある。
さらに、本発明では、新たな収納家具を購入することなく、従来なら廃棄処分されていたパーツのリサイクルにより、収納量を損なわずに多様性を確保することを目的としている。例えば、大型のパソコン周辺機器を設置する際に、机天板と上置き棚天板に跨がった設置方法を可能とし、使用態様を利用者にとって制約のない形で選択することを可能とする。
【０００４】
【課題を解決するための手段】
このため、本発明では、図示の実施例でも明らかにしたように、机本体１の天板２上に、少なくとも、上置き棚３を着脱自在に配置して構成する上棚付き机セットにおいて、上置き棚３は、両側板３ａ、３ａ間に、上棚板３ｃを架設して、天板２との間に、収納空間４を構成する。上棚板３ｃは上置き棚３の天板を構成する。
【０００５】
この場合、上置き棚３は、その両側板３ａ、３ａ下にキャスター取付部３ｄが設けられており、キャスター取付部３ｄにキャスター５を着脱自在に取り付けることで、脇机を構成することが有効である。
【０００６】
また、上置き棚３は、脇机として使用する際に、その天板としての上棚板３ｃが机本体１の天板２と同一レベルになるように、高さが設定されていることが有効である。また、上置き棚３は、副上置き棚６とセットになっていて、副上置き棚６は、机本体１の天板２上において、上置き棚３の両側板３ａ、３ａ間の収納空間４内に着脱自在に配置される構成とされている。
【０００７】
上置き棚３を、分割上棚３Ａと分割上棚３Ｂとの上下分割形とすることも可能である。
【０００８】
このような構成では、上置き棚３が置かれた天板２上では、その上置き棚３の下の空間利用が可能で、そこに、所要の物を押し込み、あるいは、引き出すなどの便宜をもたらすことができる。また、その実施の形態として、学童の成長レベルなどに合わせて、上置き棚のセッティングを変更し、例えば、上置き棚を脇机として、有効に利用でき、学習用机セットなどとしての多様性（汎用性）を確保できる。
【０００９】
【発明の実施の形態】
（第１の実施の形態）
図１乃至図４は、第１の実施の形態を示す。
即ち、この上棚付き机セットは、図１に示すように、机本体１の天板２上に上置き棚３を配置して学習用机セットを構成するが、特に、上置き棚３は、両側板３ａ、３ａ間に、下棚板３ｂを架設して、天板２と下棚板３ｂとの間に、収納空間４を構成している。さらに、移動袖箱７を有している。この移動袖箱７は、底部にキャスター８を有し、上部に昇降式の甲板９を有している。甲板９は、少なくとも、机本体１の下部空間内に収納可能な下降位置と、引き出した時に、机本体１の天板２と略同一の高さに設定される上昇位置に昇降可能である。
【００１０】
また、上置き棚３は、側板３ａ、３ａの上端縁間に架設した天板としての上棚板３ｃを備えると共に、その両側板３ａ、３ａ下に、図２に示すように、例えば、ネジ孔などのキャスター取付部３ｄが構成されており、キャスター取付部３ｄには、キャスター５が着脱自在に取り付けられている。上置き棚３の天板としての上棚板３ｃ下及び机本体１の天板２下に、カスガイ或いはカギの設置により、安定した座置を求めることもできる。そして、必要に応じ、図３に示すように、上置き棚３を脇机として使用することができる。この場合、上置き棚３は、脇机として使用する際に、その天板としての上棚板３ｃが机本体１の天板２と同一レベルになるように、高さが設定されている（この実施の形態では、キャスター５を取り付けた状態での高さに設定されている）。
【００１１】
なお、要すれば、図４に示すように、上置き棚３を机の背部に添わせて、天板２に上棚板３ｃを継ぎ足した、奥行きの広い机として使用することもできる。
【００１２】
（第２の実施の形態）
図５乃至図８は、第２の実施の形態を示す。
この実施の形態では、上置き棚３は、図５に示すように、その内側に収まる副上置き棚６とセットにされている。この場合、副上置き棚６は、両側板６ａ、６ａ間に、上置き棚３の下棚板３ｂに代わる下棚板６ｂを架設して、天板２との間に、収納空間４を構成できるような組み立てとなっている。上記上置き棚３の下棚板３ｂは取り外される。
【００１３】
そして、例えば、図６に示すように、上置き棚３に代わって、副上置き棚６を机本体１の天板２上に配置させる。しかも、この際には、上置き棚３は、キャスター５を付けて、脇机として使用可能である。また、図７に示すように、上置き棚３を机の背部に添わせて、天板２に上棚板３ｃを継ぎ足した、奥行きの広い机として使用する際には、上置き棚３の天板としての上棚板３ｃ上に副上置き棚６を載せて使用することもできる。更に、図８に示すように、脇机として使用している上置き棚３の上に、副上置き棚６を載せて使用しても良い。
【００１４】
（第３の実施の形態）
図９乃至図１１は、第３の実施の形態を示す。
この実施の形態では、上置き棚３は、分割上棚３Ａと分割上棚３Ｂの上下に分割される分割棚を構成している。
【００１５】
第２又は第３の実施の形態において、第１の実施の形態と対応する図面の箇所には、共通の符号を付してその詳細な説明は省略した。
【００１６】
上記第１〜３の実施の形態において、上置き棚３の高さ方向の設定によっては、机天板下に、サブデスク、キーボード台或いは書庫として設置し、書斎机の構成をつくることもできる。上置き棚３の高さ方向の設定だけではなく、アジャスター機能をもたせた木具金具パーツにより対応することも可能である。
【００１７】
【発明の効果】
本発明は、以上詳述したようになり、机本体の天板上に上置き棚を配置して学習用セット、或いはＳＯＨＯデスクセットなどを構成する上棚付き机セットにおいて、前記上置き棚は、両側板間に、棚板を架設して、前記天板との間に、収納空間を構成するようにしたので、上置き棚下の空間を全面的に使用できる形態で、前記上置き棚を机本体の天板にセッティングできる。
【００１８】
また、上置き棚の両側板下にキャスター取付部が構成されており、該キャスター取付部にキャスターを着脱自在に取り付けることで、上置き棚をキャスターにより机本体の側部に移動させて脇机を構成すること、更に、上置き棚をキャスターにより机本体の背部に容易に沿わせることができる。この場合、上置き棚の天板としての上棚板は、上置き棚の両側板の上端縁間に架設されて机本体の天板と同一レベルになるように、高さが設定されていることにより、上置き棚の天板としての上棚板と机本体の天板とが面方向に連続して奥行きの広い広幅の天板となり、学童の成長レベルなどに合わせて、机本体の天板の側部又は背部に上置き棚の上棚板を継ぎ足して、上置き棚のセッティングを変更し、机本体及び上置き棚を有効に利用できる効果が得られる。
【００１９】
さらに、新たな収納家具を購入することなく、従来なら廃棄処分されていたパーツのリサイクルにより、収納量を損なわずに多様性を確保できる。例えば、大型のパソコン周辺機器を設置する際に、机天板と上置き棚天板に跨がった設置方法を可能とし、使用態様を利用者にとって制約のない形で選択することが可能となる。
【図面の簡単な説明】
【図１】本発明に係わる第１の実施の形態を、（ａ）、（ｂ）および（ｃ）で示す平面図、正面図、側面図である。
【図２】同じく、上置き棚にキャスターを取り付ける状態を示す縦断側面図である。
【図３】同じく、その使用態様を、（ａ）、（ｂ）および（ｃ）で示す平面図、正面図、側面図である。
【図４】同じく、他の使用態様を、（ａ）、（ｂ）および（ｃ）で示す平面図、正面図、側面図である。
【図５】本発明のに係わる第２の実施形態を、（ａ）、（ｂ）および（ｃ）で示す平面図、正面図、側面図である。
【図６】同じく、その使用態様を、（ａ）、（ｂ）および（ｃ）で示す平面図、正面図、側面図である。
【図７】同じく、他の使用態様を、（ａ）、（ｂ）および（ｃ）で示す平面図、正面図、側面図である。
【図８】同じく、更に他の使用態様を、（ａ）、（ｂ）および（ｃ）で示す平面図、正面図、側面図である。
【図９】本発明のに係わる第３の実施形態を、（ａ）、（ｂ）および（ｃ）で示す平面図、正面図、側面図である。
【図１０】同じく、その使用態様を、（ａ）、（ｂ）および（ｃ）で示す平面図、正面図、側面図である。
【図１１】同じく、他の使用態様を、（ａ）、（ｂ）および（ｃ）で示す平面図、正面図、側面図である。
【符号の説明】
１    机本体
２    天板
３    上置き棚
３ａ、３ａ    側板
３ｂ    下棚板
３ｃ    上棚板
３ｄ    キャスター取付部
３Ａ    分割上棚
３Ｂ    分割下棚
４    収納空間
５    キャスター
６    副上置き棚
６ａ、６ａ    側板
６ｂ    下棚板
７    移動袖箱
８    キャスター
９    甲板
【図１】
0003635225.tif 000002
【図２】
0003635225.tif 000003
【図３】
0003635225.tif 000004
【図４】
0003635225.tif 000005
【図５】
0003635225.tif 000006
【図６】
0003635225.tif 000007
【図７】
0003635225.tif 000008
【図８】
0003635225.tif 000009
【図９】
0003635225.tif 000010
【図１０】
0003635225.tif 000011
【図１１】
0003635225.tif 000012